(57)【特許請求の範囲】
【請求項１】
圧縮機(１),室外熱交換器(３),第１減圧器(５),第１室内熱交換器(６),第２減圧器(７),第２室内熱交換器(８)を備え、再熱ドライ運転時には、上記室外熱交換器(３)を凝縮器として働かせ、上記第１室内熱交換器(６)を再熱器として働かせ、第２室内熱交換器(８)を蒸発器として働かせる空気調和機であって、
上記第１室内熱交換器(６)と上記第２減圧器(７)との間に、上記第１室内熱交換器(６)と上記第２減圧器(７)とを接続する冷媒配管(１３)の内径よりも大きな内径を有すると共に上記冷媒配管(１３)を介して上記第２減圧器(７)に接続されており、再熱ドライ運転時に液冷媒のみを上記第２減圧器(７)に供給するマフラ容器(１２)を備え、
上記マフラ容器(１２)は、上記冷媒配管(１３)によって上記第１室内熱交換器(６)と上記第２減圧器(７)だけに接続されていることを特徴とする空気調和機。
【発明の詳細な説明】
【０００１】
【発明の属する技術分野】
この発明は、再熱ドライ運転を行う空気調和機に関する。
【０００２】
【従来の技術】
従来、この種の空気調和機としては、図３に示すように、圧縮機１０１,四路弁１０２,室外熱交換器１０３,第１減圧器１０５,第１室内熱交換器１０６,第２減圧器１０７,第２室内熱交換器１０８を環状に接続して構成された冷媒回路を備え、冷房サイクルで再熱ドライ運転を行うものがある。上記構成の空気調和機では、圧縮機１０１から吐出された高圧冷媒は、室外熱交換器１０３,全開状態の第１減圧器１０５,第１室内熱交換器１０６,減圧状態の第２減圧器１０７,第２室内熱交換器１０８を循環して、冷媒が蒸発する第２室内熱交換器１０８で室内空気を冷却して除湿した後、冷媒が凝縮される第１室内熱交換器１０６でその空気を加熱して、温度を下げることなく除湿を行なうことができるようにしている。
【０００３】
【発明が解決しようとする課題】
ところで、上記空気調和機では、再熱器としての第１室内熱交換器１０６からのガスと液との２相状態の冷媒が第２減圧器１０７を通過する際に、騒音,振動が生じるという問題がある。
【０００４】
そこで、この発明の目的は、再熱ドライ運転時に室内機の減圧器に起因する騒音,振動の発生を防止できる空気調和機を提供することにある。
【０００５】
【課題を解決するための手段】
上記目的を達成するため、請求項１の発明の空気調和機は、圧縮機,室外熱交換器,第１減圧器,第１室内熱交換器,第２減圧器,第２室内熱交換器を備え、再熱ドライ運転時には、上記室外熱交換器を凝縮器として働かせ、上記第１室内熱交換器を再熱器として働かせ、第２室内熱交換器を蒸発器として働かせる空気調和機であって、
上記第１室内熱交換器と上記第２減圧器との間に、上記第１室内熱交換器と上記第２減圧器とを接続する冷媒配管の内径よりも大きな内径を有すると共に上記冷媒配管を介して上記第２減圧器に接続されており、再熱ドライ運転時に液冷媒のみを上記第２減圧器に供給するマフラ容器を備え、
上記マフラ容器は、上記冷媒配管によって上記第１室内熱交換器と上記第２減圧器だけに接続されていることを特徴としている。
【０００６】
この請求項１の発明では、第１室内熱交換器と上記第２減圧器との間にマフラ容器を備え、このマフラ容器の内径を、第１室内熱交換器と第２減圧器を接続する冷媒配管の内径よりも大きくした。この構成によれば、再熱ドライ運転時において、再熱器としての第１室内熱交換器からの２相状態の冷媒を、マフラ容器に所定容量だけ溜めると同時に気液分離して液冷媒を第２減圧器に安定供給できる。したがって、この発明によれば、室内機の減圧器での冷媒脈動と騒音（冷媒膨張音）を低減して、静粛で円滑な再熱ドライ運転を行なえる。
【０００７】
【発明の実施の形態】
以下、この発明を図示の実施の形態により詳細に説明する。
【０００８】
図１に、この発明の空気調和機の実施の形態の冷媒回路を示す。この実施の形態の空気調和機は、圧縮機１と四路弁４と室外熱交換器３と主膨張弁５と第１室内熱交換器６と副膨張弁７と第２室内熱交換器８とが順に接続されている。また、圧縮機１の吸入側にはアキュムレータ１０が接続されている。
【０００９】
また、第１室内熱交換器６と副膨張弁７との間にマフラ容器１２が接続されている。このマフラ容器１２は、第１室内熱交換器６と副膨張弁７とを接続する冷媒配管１３の内径よりも大きな内径を有している。
【００１０】
この実施形態によれば、再熱ドライ運転時には、圧縮機１が吐出する冷媒を、室外熱交換器３で凝縮してから、全開状態の主膨張弁５を通過させ、さらに、再熱器として働く室内機１５の第１室内熱交換器６で更に凝縮する。そして、この第１室内熱交換器６で凝縮された２相状態の冷媒は、図２(Ａ)に模式的に示すように、マフラ容器１２に溜め込まれると同時に気液分離される。次に、このマフラ容器１２に溜め込まれている液冷媒は、副膨張弁７に導入されて膨張してから第２室内熱交換器８に導入されて蒸発する。その後、蒸発した冷媒は、アキュムレータ１０を経て、圧縮機１に戻る。この再熱ドライ運転では、室内機１５において、室内空気を第２室内熱交換器８で冷却して除湿してから再熱器としての第１室内熱交換器６で暖めてから室内に吹き出すことで、室内温度を下げることなく除湿を行なう。
【００１１】
この実施形態によれば、再熱ドライ運転時において、再熱器としての第１室内熱交換器６からの２相状態の冷媒を、図２(Ａ)に示すように、マフラ容器１２において、所定量だけ溜め込むと同時に気液分離して液冷媒を副膨張弁７に安定供給できる。したがって、図２(Ｂ)に示すように、ガスまじり冷媒１７が膨張機構１９に直接導入されることを防止でき、マフラ容器１２から室内機１５の副膨張弁７に冷媒を安定的に供給できる。これにより、副膨張弁７における冷媒脈動と騒音（冷媒膨張音）を低減して、静粛で円滑な再熱ドライ運転を行なえる。
【００１２】
【発明の効果】
以上より明らかなように、この発明の空気調和機は、圧縮機,室外熱交換器,第１減圧器,第１室内熱交換器,第２減圧器,第２室内熱交換器を備え、再熱ドライ運転時には、上記室外熱交換器を凝縮器として働かせ、上記第１室内熱交換器を再熱器として働かせ、第２室内熱交換器を蒸発器として働かせる空気調和機であって、上記第１室内熱交換器と上記第２減圧器との間に、上記第１室内熱交換器と上記第２減圧器とを接続する冷媒配管の内径よりも大きな内径を有するマフラ容器を備えた。
【００１３】
この請求項１の発明では、第１室内熱交換器と上記第２減圧器との間にマフラ容器を備え、このマフラ容器の内径を、第１室内熱交換器と第２減圧器を接続する冷媒配管の内径よりも大きくした。この構成によれば、再熱ドライ運転時において、再熱器としての第１室内熱交換器からの２相状態の冷媒を、図２(Ａ)に示すように、マフラ容器に所定量だけ溜め込むと同時に気液分離して第２減圧器に導入できる。したがって、この発明によれば、従来のような第２減圧器での振動と騒音（冷媒膨張音）を低減でき、静粛で円滑な再熱ドライ運転を行うことができる。
【図面の簡単な説明】
【図１】  この発明の再熱ドライ空気調和機の実施の形態を示す冷媒回路図である。
【図２】  図２(Ａ)はマフラ容器に冷媒を溜め込んだ様子を示す模式図であり、図２(Ｂ)はガスまじり冷媒が膨張機構を通過する様子を示す模式図である。
【図３】  従来の再熱ドライ空気調和機の冷媒回路図である。
【符号の説明】
１…圧縮機、３…室外熱交換器、４…四路弁、５…主膨張弁、
６…第１室内熱交換器、７…副膨張弁、８…第２室内熱交換器、
１０…アキュムレータ、１２…マフラ容器、１３…冷媒配管、１５…室内機。
【図１】
0003680145.tif 000002
【図２】
0003680145.tif 000003
【図３】
0003680145.tif 000004